(57)【特許請求の範囲】
【請求項１】
トラックの間に１つの同期プリピットとその同期プリピットに続いて前記トラックに関連する情報を担う少なくとも１の情報プリピットとを含む周期領域が繰り返し形成された記録領域を有する光記録媒体のプリピット波形測定装置であって、
前記トラックの接線方向に第１及び第２受光面として分割された受光面を有し、前記記録領域内に照射された光ビームの反射光を前記第１及び第２受光面で受光して前記第１及び第２受光面各々の受光量に応じた第１及び第２光検出信号を出力する光検出手段と、
前記光記録媒体の前記光ビームの照射位置において線速度一定となるように前記光記録媒体を回転駆動する駆動手段と、
前記光検出手段から出力された前記第１及び第２光検出信号の差を算出してプッシュプル信号を生成する減算手段と、
前記ブッシュプル信号から前記同期プリピット及び前記情報プリピット各々のプリピットに対応した信号成分を検出してプリピット検出信号を生成する手段と、
前記プリピット検出信号の生成時点から第１所定時間が経過するまでに前記プリピット検出信号が新たに生成されたか否かを判別する時間判別手段と、
前記時間判別手段によって前記第１所定時間が経過するまでに前記プリピット検出信号が新たに生成されなかったと判別された直後の前記プリピット検出信号の生成時を前記同期プリピットに対応した時点として検出し、その検出時点から第２所定時間だけ遅延した時点を中心とする測定対象信号成分を前記プッシュプル信号から抽出する抽出手段と、
前記記録領域内で前記光ビームの照射位置をトラックジャンプさせるトラックジャンプ手段と、
前記トラックジャンプ手段によって前記光ビームがトラックジャンプを行っている期間とそれに続く前記第１所定時間とを少なくとも含む時間に亘って前記抽出手段による前記プッシュプル信号からの前記測定対象信号成分の抽出を禁止させる禁止制御手段と、を備え、
前記第２所定時間は、前記周期領域内の前記同期プリピットから前記少なくとも１の情報プリピットまでの第１所定距離と前記線速度とに基づいた経過時間であり、
前記第１所定時間は、前記第１所定距離より長い距離であって前記周期領域内の前記少なくとも１の情報プリピットから次の前記周期領域内の前記同期プリピットまでの第２所定距離と前記線速度とに基づいた経過時間より短くかつ前記第２所定時間より長いことを特徴とするプリピット波形測定装置。
【請求項２】
前記記録領域はエンボス領域であることを特徴とする請求項１記載のプリピット波形測定装置。
【請求項３】
前記抽出手段は、前記光ビームが前記トラックジャンプを行っている期間直前の第３所定時間前から前記第１所定時間が終了するまでの期間に亘って前記プッシュプル信号から前記同期プリピットに対応した同期信号成分の検出を停止することを特徴とする請求項１記載のプリピット波形測定装置。
【請求項４】
前記第３所定時間は前記周期領域内の前記同期プリピットから前記少なくとも１の情報プリピットまでの距離及び前記線速度に対応した経過時間より若干長い時間に相当することを特徴とする請求項１又は３記載のプリピット波形測定装置。
【請求項５】
前記トラックジャンプを行っている期間はトラッキングエラー信号のＳ字特性に応じて定まる期間であることを特徴とする請求項１記載のプリピット波形測定装置。
【請求項６】
前記トラックは予め定められた周波数でウォブリングされたウォブリングトラックであり、前記抽出手段は、前記プッシュプル信号の周期に基づいて前記同期プリピットに対応した時点から前記第２所定時間だけ遅延した時点を検出することを特徴とする請求項１記載のプリピット波形測定装置。
【請求項７】
前記抽出手段によって抽出された前記測定対象信号成分を表示する表示装置を有することを特徴とする請求項１記載のプリピット波形測定装置。
【請求項８】
前記トラックジャンプ手段は、前記光ビームの照射位置を同一トラックからの繰り返し情報読み取りのために１トラックジャンプをさせることを特徴とする請求項１記載のプリピット波形測定装置。
【請求項９】
トラックの間に１つの同期プリピットとその同期プリピットに続いて前記トラックに関連する情報を担う少なくとも１の情報プリピットとを含む周期領域が繰り返し形成された記録領域を有する光記録媒体のプリピット波形測定方法であって、
前記トラックの接線方向に第１及び第２受光面として分割された受光面を有し、前記記録領域内に照射された光ビームの反射光を前記第１及び第２受光面で受光して前記第１及び第２受光面各々の受光量に応じた第１及び第２光検出信号を出力する光検出ステップと、
前記光記録媒体の前記光ビームの照射位置において線速度一定となるように前記光記録媒体を回転駆動する駆動ステップと、
前記第１及び第２光検出信号の差を算出してプッシュプル信号を生成する減算ステップと、
前記ブッシュプル信号から前記同期プリピット及び前記情報プリピット各々のプリピットに対応した信号成分を検出してプリピット検出信号を生成するステップと、
前記プリピット検出信号の生成時点から第１所定時間が経過するまでに前記プリピット検出信号が新たに生成されたか否かを判別する時間判別ステップと、
前記時間判別ステップにて前記第１所定時間が経過するまでに前記プリピット検出信号が新たに生成されなかったと判別された直後の前記プリピット検出信号の生成時を前記同期プリピットに対応した時点として検出し、その検出時点から第２所定時間だけ遅延した時点を中心とする測定対象信号成分を前記プッシュプル信号から抽出する抽出ステップと、
前記記録領域内で前記光ビームの照射位置をトラックジャンプさせるトラックジャンプステップと、
前記トラックジャンプステップにおいて前記光ビームがトラックジャンプを行っている期間とそれに続く前記第１所定時間とを少なくとも含む時間に亘って前記抽出ステップによる前記プッシュプル信号からの前記測定対象信号成分の抽出を禁止させる禁止制御ステップと、を備え、
前記第２所定時間は、前記周期領域内の前記同期プリピットから前記少なくとも１の情報プリピットまでの第１所定距離と前記線速度とに基づいた経過時間であり、
前記第１所定時間は、前記第１所定距離より長い距離であって前記周期領域内の前記少なくとも１の情報プリピットから次の前記周期領域内の前記同期プリピットまでの第２所定距離と前記線速度とに基づいた経過時間より短くかつ前記第２所定時間より長いことを特徴とするプリピット波形測定方法。
【発明の詳細な説明】
【０００１】
【発明が属する技術分野】
本発明は、プリピットがトラック間に繰り返し形成された記録領域を有する光記録媒体のプリピット波形測定装置及び方法に関する。
【０００２】
【従来の技術】
現在、情報データの書込が可能な光学式の記録媒体として、ＣＤ−Ｒ、ＣＤ−ＲＷ、ＤＶＤ−Ｒ、ＤＶＤ−ＲＷ、ＤＶＤ−ＲＡＭ等の光ディスクが知られている。更に、このような光ディスクに対して情報データの記録及び再生を行う情報記録再生装置が製品化されてきた。
【０００３】
図１は、上記光ディスクとしてのＤＶＤ−ＲＷの領域構成を概略的に示す図である。
図１に示すように、ＤＶＤ−ＲＷは、ディスク内周側から外周側に向けて、ＰＣＡ(Power Calibration Area)、ＲＭＡ(Recording Management Area)、リードインエリア、データエリア、リードアウトエリアからなるデータ構造を有している。ＰＣＡはレーザビームの記録パワーを決定するときの試し書きを行うエリアであり、ＲＭＡは記録に関する管理情報を書き込むエリアである。リードインエリアの一部（コントロールデータゾーン）はエンボス領域とされている。このエンボス領域において、トラックは位相ピットによって形成されている。
【０００４】
図２は、かかる記録可能なディスクの記録面上の一部を示す図である。
図２に示す如く、ディスク基板１０１上には、螺旋状もしくは同心円状に、情報データを担う情報ピットＰtが形成されるべき凸状のグルーブトラック１０３、及び凹状のランドトラック１０２が交互に形成されている。更に、互いに隣接するグルーブトラック１０３間には、複数のＬＰＰ(ランドプリピット)１０４が形成されている。ＬＰＰ１０４は、ディスクレコーダが情報データを記録する際にその記録タイミング及びアドレスを知る為にランドトラック１０２上に予め設けられているものである。
【０００５】
かかるＬＰＰを有する光ディスクを再生するディスクプレーヤにおいては、ＬＰＰ検出回路が備えられている。ＬＰＰ検出回路は、２値化回路から構成され、ピックアップによって光ディスクからの反射ビームを例えば、トラック接線方向に２分割の光検出器で受光し、その光検出器の出力信号の差信号、すなわちラジアルプッシュプル信号ＰＰを得る。プッシュプル信号ＰＰは図３に示すような波形であり、ＬＰＰ成分はそのプッシュプル信号ＰＰから突出した成分となる。よって、そのプッシュプル信号ＰＰのレベルと閾値ＴＨとを比較することによりＬＰＰの検出を示すプリピット検出信号ＰＰDを生成する。
【０００６】
プリピット検出信号ＰＰDは、ＬＰＰに対応したピックアップの読み取り位置毎に図４に示す如くパルス状にレベル変化が生じる。プリピット検出信号ＰＰD中には図４に示す如く周期Ｔ毎に表れる同期パルスＰSYNCが存在する。同期パルスＰSYNCに続いて２つのプリデータパルスが所定の間隔で存在するが、それらはアドレス等のデータを表すために各周期において常に存在する訳ではない。図４に示すように同期パルスＰSYNCから３番目の位置のパルスがアドレス及び記録に関する情報データを担うプリデータパルスＰDである。光ディスクに情報を記録する際にはこのプリピット検出信号ＰＰDに基づいて光ディスクのアドレスやライトストラテジ等の記録情報を検出して情報の記録が行われる。
【０００７】
ＬＰＰを含む光ディスクの製造メーカに対しては、製造された光ディスクのＬＰＰが規格を満たしたものであることが要求されている。規格を満たした光ディスクであることを判断するためにＡＲ(Aperture Ratio)測定が行われる。ＡＲ測定では、プッシュプル信号ＰＰのＬＰＰ成分（同期用のＬＰＰを１番目のＬＰＰとするとそれから３番目のＬＰＰ位置部分）が所定の期間だけ繰り返しサンプリングされる。このサンプリングによって３番目のＬＰＰ部分のプッシュプル信号ＰＰの重複波形、すなわちプリピット波形が図５に示すように、オシロスコープ等の表示装置に表示される。この表示のためには、同期用のＬＰＰでトリガを掛けて３番目のＬＰＰが表示装置の画面中央に位置するように遅延時間を手動調整することが行われる。
【０００８】
その表示されたプッシュプル信号ＰＰにおけるグルーブトラック成分の最大値ＷＯmaxからのピーク値の最大値ＡＰmax及び最小値ＡＰminを検出し、ＡＲ値を規格式であるＡＲ＝ＡＰmin／ＡＰmaxの如く算出し、そのＡＲ値が規定値以上であることを確認する必要がある。ＡＲ値が大きいということは２値化可能範囲が広くなり、プリピット検出の検出精度が高いということである。
【０００９】
【発明が解決しようとする課題】
規格を満たして製造された光ディスクであることを判断するための対象領域は、光ディスクのデータ領域に限らず、情報エリア内のエンボス領域も対象である。しかしながら、エンボス領域は非常に狭く、エンボス領域を単に連続再生するだけではＡＲ値の算出に必要なプリピット波形を高精度で検出することが難しいという問題点があった。
【００１０】
そこで、本発明の目的は、プリピットを有する光記録媒体のエンボス領域の如き狭い領域に対してもＡＲ値の算出に必要なプリピット波形を正確に測定することができるプリピット波形測定装置及び方法を提供することである。
【００１１】
【課題を解決するための手段】
本発明のプリピット波形測定装置は、トラックの間に１つの同期プリピットとその同期プリピットに続いてトラックに関連する情報を担う少なくとも１の情報プリピットとを含む周期領域が繰り返し形成された記録領域を有する光記録媒体のプリピット波形測定装置であって、トラックの接線方向に第１及び第２受光面として分割された受光面を有し、記録領域内に照射された光ビームの反射光を第１及び第２受光面で受光して第１及び第２受光面各々の受光量に応じた第１及び第２光検出信号を出力する光検出手段と、光記録媒体の光ビームの照射位置において線速度一定となるように光記録媒体を回転駆動する駆動手段と、光検出手段から出力された第１及び第２光検出信号の差を算出してプッシュプル信号を生成する減算手段と、ブッシュプル信号から同期プリピット及び情報プリピット各々のプリピットに対応した信号成分を検出してプリピット検出信号を生成する手段と、プリピット検出信号の生成時点から第１所定時間が経過するまでにプリピット検出信号が新たに生成されたか否かを判別する時間判別手段と、時間判別手段によって第１所定時間が経過するまでにプリピット検出信号が新たに生成されなかったと判別された直後のプリピット検出信号の生成時を同期プリピットに対応した時点として検出し、その検出時点から第２所定時間だけ遅延した時点を中心とする測定対象信号成分をプッシュプル信号から抽出する抽出手段と、記録領域内で光ビームの照射位置をトラックジャンプさせるトラックジャンプ手段と、トラックジャンプ手段によって光ビームがトラックジャンプを行っている期間とそれに続く第１所定時間とを少なくとも含む時間に亘って抽出手段によるプッシュプル信号からの測定対象信号成分の抽出を禁止させる禁止制御手段と、を備え、第２所定時間は、周期領域内の同期プリピットから少なくとも１の情報プリピットまでの第１所定距離と線速度とに基づいた経過時間であり、第１所定時間は、第１所定距離より長い距離であって周期領域内の少なくとも１の情報プリピットから次の周期領域内の同期プリピットまでの第２所定距離と線速度とに基づいた経過時間より短くかつ第２所定時間より長いことを特徴としている。
【００１２】
本発明のプリピット波形測定方法は、トラックの間に１つの同期プリピットとその同期プリピットに続いてトラックに関連する情報を担う少なくとも１の情報プリピットとを含む周期領域が繰り返し形成された記録領域を有する光記録媒体のプリピット波形測定方法であって、トラックの接線方向に第１及び第２受光面として分割された受光面を有し、記録領域内に照射された光ビームの反射光を第１及び第２受光面で受光して第１及び第２受光面各々の受光量に応じた第１及び第２光検出信号を出力する光検出ステップと、光記録媒体の光ビームの照射位置において線速度一定となるように光記録媒体を回転駆動する駆動ステップと、第１及び第２光検出信号の差を算出してプッシュプル信号を生成する減算ステップと、ブッシュプル信号から同期プリピット及び情報プリピット各々のプリピットに対応した信号成分を検出してプリピット検出信号を生成するステップと、プリピット検出信号の生成時点から第１所定時間が経過するまでにプリピット検出信号が新たに生成されたか否かを判別する時間判別ステップと、時間判別ステップにて第１所定時間が経過するまでにプリピット検出信号が新たに生成されなかったと判別された直後のプリピット検出信号の生成時を同期プリピットに対応した時点として検出し、その検出時点から第２所定時間だけ遅延した時点を中心とする測定対象信号成分をプッシュプル信号から抽出する抽出ステップと、記録領域内で光ビームの照射位置をトラックジャンプさせるトラックジャンプステップと、トラックジャンプステップにおいて光ビームがトラックジャンプを行っている期間とそれに続く第１所定時間とを少なくとも含む時間に亘って抽出ステップによるプッシュプル信号からの測定対象信号成分の抽出を禁止させる禁止制御ステップと、を備え、第２所定時間は、周期領域内の同期プリピットから少なくとも１の情報プリピットまでの第１所定距離と線速度とに基づいた経過時間であり、第１所定時間は、第１所定距離より長い距離であって周期領域内の少なくとも１の情報プリピットから次の周期領域内の同期プリピットまでの第２所定距離と線速度とに基づいた経過時間より短くかつ第２所定時間より長いことを特徴としている。
【００１３】
【発明の実施の形態】
以下、本発明の実施例を図面を参照しつつ詳細に説明する。
図６は本発明によるプリピット波形測定装置を示している。このプリピット波形測定装置において、検査対象の光ディスク１（例えば、ＤＶＤ−ＲＷ）に対して情報を書き込み及び読み出しを行うことができる記録再生ヘッド２が備えられている。記録再生ヘッド２には、図２に示した如き記録面を有する追記又は書換可能な光ディスク１に対して情報データの記録を行う記録ビーム光発生装置（図示せず）、光ディスク１から記録情報(情報データを含む)の読み取りを行う読取ビーム光発生装置(図示せず）及び４分割光検出器（図７の符号２０）が搭載されている。
【００１４】
記録ビーム光発生装置と読取ビーム光発生装置とは個別に設ける必要はなく、記録時には記録用光ビームを発生し、読取時には読取用光ビームを発生する１つの光ビーム発生装置であっても良い。
読取ビーム光発生装置は、スピンドルモータ９によって回転駆動される光ディスク１に読取ビーム光を照射し、その記録面上に情報読取スポットを形成させる。４分割光検出器２０は、図７に示すように、光ディスク１の情報記録トラック（グルーブトラック１０３）の接線に沿った方向と、記録トラックの接線に直交する方向とによって４分割された受光面２０ａ〜２０ｄを有する光電変換素子からなる。その光電変換素子は、情報読取スポットによる光ディスク１からの反射光を４つの受光面２０ａ〜２０ｄ各々によって受光し、夫々を個別に電気信号に変換したものを受光信号Ｒａ〜Ｒｄとして出力する。
【００１５】
サーボ制御装置４は、これら受光信号Ｒａ〜Ｒｄに基づいてフォーカスエラー信号、トラッキングエラー信号及びスライダ駆動信号を各々生成する。フォーカスエラー信号は、記録再生ヘッド２に搭載されているフォーカシングアクチュエータ（図示せず）に供給される。フォーカシングアクチュエータは、フォーカスエラー信号に基づいて情報読取スポットの焦点を調整する。トラッキングエラー信号は、記録再生ヘッド２に搭載されているトラッキングアクチュエータ（図示せず）に供給される。トラッキングアクチュエータは、トラッキングエラー信号に基づいて情報読取スポットの形成位置をディスク半径方向にて調整する。スライダ駆動信号はスライダ１０に供給される。スライダ１０はスライダ駆動信号に応じた速度で記録再生ヘッド２をディスク半径方向に移送させる。
【００１６】
サーボ制御装置４にはトラックジャンプパルス発生回路４０が接続されている。トラックジャンプパルス発生回路４０は後述のパーソナルコンピュータ６２からのトラックジャンプ指令に応じてトラックジャンプパルスを発生する。トラックジャンプパルスに応じてサーボ制御装置４のトラッキングサーボ系の動作によって記録再生ヘッド２による光ディスク１の読取又は書込位置が１トラックだけ内側に移動するようになっている。
【００１７】
また、上記受光信号Ｒａ〜Ｒｄは加算器２１〜２３及び減算器２４を有するヘッドアンプ２５に供給される。加算器２１は受光信号Ｒａ，Ｒｄを加算し、加算器２２は受光信号Ｒｂ，Ｒｃを加算する。すなわち、加算器２１は４分割光検出器２０の受光面２０a及び２０dによって各々受光されて得られた受光信号Ｒa及びＲd同士を加算して加算受光信号Ｒa+dを出力する。また、加算器２２は４分割光検出器２０の受光面２０b及び２０c各々によって受光されて得られた受光信号Ｒb及びＲc同士を加算して加算受光信号Ｒb+cを出力する。
【００１８】
加算器２３は加算器２１，２２の各出力信号Ｒa+d，Ｒb+cを加算する。加算器２３の出力信号は読取信号、すなわちＲＦ信号であり、情報データ再生回路３０に供給される。情報データ再生回路３０は、その読取信号を２値化した後、復調処理、誤り訂正処理、及び各種情報復号処理を順次実施することにより、光ディスク１に記録されていた情報データ（映像データ、音声データ、コンピュータデータ）の再生を行い、これを出力する。
【００１９】
減算器２４は加算器２１の出力信号Ｒa+dから加算器２２の出力信号Ｒb+cを減算する。減算器２４の出力信号は上記のトラック１０３のウォブリングによる周波数を示す信号となり、スピンドルモータ９のスピンドルサーボ装置２６に供給される。スピンドルサーボ装置２６は減算器２４の出力信号から得られる周波数が予め定められた回転速度に対応した周波数になるようにスピンドルモータ９を回転駆動する。スピンドルサーボ装置２６の構成については特開平１０−２８３６３８号公報に既に開示されているので、ここでの説明は省略する。
【００２０】
プリピット検出回路５は、加算器２１，２２の各出力信号に基づいて、図２に示した如き、光ディスク１のランドトラック(プリピットトラック)１０２上に形成されているランドプリピット(ＬＰＰ)１０４を検出してプリピット検出信号ＰＰDを記録処理回路７に供給する。
記録処理回路７は、プリピット検出信号ＰＰDに基づいて、現時点において記録再生ヘッド２が記録を行っている位置、すなわち、グルーブトラック１０３上の位置を認識し、その位置から所望の位置へと記録再生ヘッド２をトラックジャンプせしめるべき制御信号をサーボ制御装置４に供給する。更に、記録処理回路７は、記録すべき情報データ（検査用の情報データ）に対して所望の記録変調処理を施して記録変調データ信号を生成し、これを上記記録再生ヘッド２に供給する。記録再生ヘッド２に搭載されている記録ビーム光発生装置は、かかる記録変調データ信号に応じた記録ビーム光を発生し、これを光ディスク１上のグルーブトラック１０３上に照射する。この際、かかる記録ビームが照射されたグルーブトラック１０３上の領域に熱が伝わりその領域に、情報ピット（マーク）が形成されて行く。
【００２１】
記録処理回路７の構成についても特開平１０−２８３６３８号公報に既に開示されているので、ここでのこれ以上の説明は省略する。
プリピット検出回路５は、図７に示すように、加算器２１の出力信号Ｒa+dを増幅する増幅器３１と、加算器２２の出力信号Ｒb+cを増幅する増幅器３２と、増幅器３１の出力信号から増幅器３２の出力信号を減算してラジアルプッシュプル信号（グルーブウォブル信号）ＰＰとして出力する減算器３３と、減算器３３の出力プッシュプル信号ＰＰを閾値ＴＨにて２値化して上記のプリピット検出信号ＰＰDを生成する２値化回路３４と、ＡＮＤ回路５０と、ゲートパルス発生回路５１からなる。増幅器３１の利得Ｇ１と増幅器３２の利得Ｇ２とは、Ｇ１＝Ｇ２に設定される。
【００２２】
減算器３３から出力されるプッシュプル信号ＰＰはＬＰＰ間隔検出回路６０及びオシロスコープ６１に供給される。２値化回路３４の出力信号であるプリピット検出信号ＰＰDはＡＮＤ回路５０を介して後述のパーソナルコンピュータ（パソコン）６２に供給される。
ＡＮＤ回路５０には上記の２値化回路３４の他にゲートパルス発生回路５１が接続されている。ゲートパルス発生回路５１は光ディスク１のエンボス領域に対するＡＲ測定期間にパーソナルコンピュータ６２からの指令に応じてゲートパルスを発生する。ＡＮＤ回路５０は２値化回路３４からのプリピット検出信号ＰＰDのパーソナルコンピュータ６２への供給をゲートパルスの発生中には停止させる。
【００２３】
ＬＰＰ間隔検出回路６０は、図７に示すように、コンパレータ７１と、４分周回路７２と、カウンタ７３とからなる。コンパレータ７１はプッシュプル信号ＰＰとウォブルスライス信号Ｗslice（基準レベル）と比較して２値化ウォブル信号を生成する。４分周回路７２は２値化ウォブル信号を４分周する。カウンタ７３はクロック信号のパルスを計数して２値化ウォブル信号の周期を検出する。クロック信号の周波数はプッシュプル信号ＰＰの周波数より十分に高い。カウンタ７３の計数結果はＬＰＰ間隔としてパソコン６２に供給される。
【００２４】
パソコン６２は光ディスク１のエンボス領域のＡＲ測定の際には上記したトラックジャンプ指令をトラックジャンプパルス発生回路４０に対して発生する。ＡＲ測定期間中にはトラックジャンプ指令は光ディスク１のエンボス領域の１トラックを繰り返し再生するためにスピンドルモータ９の回転に同期して繰り返し発生される。
【００２５】
オシロスコープ６１はプッシュプル信号ＰＰをサンプリングして例えば、プッシュプル信号ＰＰ中のＬＰＰに対応した部分を表示するものである。
オシロスコープ６１にはパーソナルコンピュータ（以下、パソコンと称す）６２が接続されている。パソコン６２はオシロスコープ６１の内部メモリ（例えば、後述のサンプルメモリ９３）に記憶されたプッシュプル信号ＰＰのレベルデータ及びＬＰＰ間隔検出回路６０によるＬＰＰ間隔検出値を用いて後述の遅延時間を算出する。パソコン６２の具体的な構成は示さないが、少なくともＣＰＵ及び内部メモリを含んでいる。
【００２６】
パソコン６２とオシロスコープ６１との間の接続は例えば、ＧＰＩＢ、１０ＢＡＳＥ−Ｔ、或いはＲＳ−２３２Ｃ等のインターフェース規格に基づいている。２値化回路３４から出力された信号（プリピット検出信号ＰＰD）は図示しないエラーレート検出回路に供給され、そこでその供給された信号に応じたエラーレートが検出される。
【００２７】
オシロスコープ６１は例えば、図８に示す構成を有することができる。すなわち、オシロスコープ６１は、Ａ／Ｄ変換器９１と、制御回路９２と、サンプルメモリ９３と、表示メモリ９４と、Ｘ及びＹドライバ９５，９６と、表示パネル９７と、操作部９８と、インターフェース９９とを備えている。Ａ／Ｄ変換器９１は入力アナログ信号をディジタル信号に変換する。制御回路９２はＡ／Ｄ変換器９１によって得られたディジタル信号のサンプルデータをサンプルメモリ９３に順次書き込むと共にサンプルメモリ９３から表示すべきデータを読み出して表示メモリ９４に書き込んで展開する。表示メモリ９４は表示パネル９７の各画素に対応した記憶位置を有する。Ｘ及びＹドライバ９５，９６は表示メモリ９４に書き込まれたデータに応じて表示パネル９７を駆動して表示パネル９７に入力アナログ信号の波形を表示させる。インターフェース９９は上記のパソコン６２と接続するための例えば、ＧＰＩＢ、１０ＢＡＳＥ−Ｔ、或いはＲＳ−２３２Ｃ等のインターフェース規格に基づいた回路であり、サンプルメモリ９３に書き込まれたデータを制御回路９２を介してパソコン６２に転送する。また、インターフェース９９はパソコン６２からの指令を制御回路９２に中継供給する。
【００２８】
かかる構成のプリピット波形測定装置において、減算器３３から出力されるプッシュプル信号ＰＰは、光ディスク１の場合には図２に示したようにウォブリングさせたグルーブ１０３によって図９(a)に示すようにサイン波形（正確にはサイン波形に酷似した波形であるが、説明の便宜上サイン波形と称する）を示す。また、図９(a)に示すようにプッシュプル信号ＰＰにおいてＬＰＰに対応した部分、すなわちＬＰＰ成分はサイン波形から負側に大きく突出し、閾値ＴＨを越える。図９(a)に示した２つのＬＰＰ成分は同期用のＬＰＰと、その同期用のＬＰＰから３番目のＬＰＰとに対応している。すなわち、２番目のＬＰＰがない１周期部分を読み出した場合のプッシュプル信号ＰＰの波形である。
【００２９】
プッシュプル信号ＰＰはＬＰＰ間隔検出回路６０のコンパレータ７１においてウォブルスライス信号Ｗsliceと比較されて図９(b)に示す如き波形の２値化ウォブル信号となる。２値化ウォブル信号はプッシュプル信号ＰＰがウォブルスライス信号Ｗsliceより大のレベルであれば、１を示し、プッシュプル信号ＰＰがウォブルスライス信号Ｗslice以下のレベルであれば、０を示すパルス信号となる。２値化ウォブル信号は４分周回路７２によって４分周されることにより、図９(c)に示す如き波形となる。この４分周された信号の周期ｔは、プッシュプル信号ＰＰの同期用のＬＰＰ成分から３番目のＬＰＰ成分までの時間の２倍の長さに相当する。なお、スピンドルサーボ装置によるサーボ動作によってスピンドルモータ９は光ディスク１を所定の線速度で回転させるので、その光ディスク１についての周期ｔは一定であるとする。
【００３０】
４分周された信号の周期ｔはカウンタ７３においてクロック信号のパルス計数によって測定される。カウンタ７３による計数値、すなわち周期ｔはパソコン６２に供給される。パソコン６２は、カウンタ７３による計数値ｔを用いてｔ／２を算出することにより、プッシュプル信号ＰＰの同期用のＬＰＰ成分から３番目のＬＰＰ成分までの時間を求める。算出されたｔ／２は遅延時間としてオシロスコープ６１に供給される。
【００３１】
この遅延時間ｔ／２の算出動作中においてパソコン６２は、プッシュプル信号ＰＰの同期用のＬＰＰ成分の位置を検出する。同期用のＬＰＰ成分の位置はプッシュプル信号ＰＰと閾値ＴＨとの比較によってＬＰＰ成分の時点が検出される毎にＬＰＰ成分の発生間隔から判断される。ＬＰＰ成分の間隔として得るものは、同期用のＬＰＰ成分（１番目ののＬＰＰ成分）から２番目のＬＰＰ成分までの時間、２番目のＬＰＰ成分から３番目のＬＰＰ成分までの時間、同期用のＬＰＰ成分から３番目のＬＰＰ成分までの時間、２番目のＬＰＰ成分から次の周期の同期用のＬＰＰ成分間での時間、３番目のＬＰＰ成分から次の周期の同期用のＬＰＰ成分間での時間、同期用のＬＰＰ成分から次の周期の同期用のＬＰＰ成分間での時間である。同期用のＬＰＰ成分から２番目のＬＰＰ成分までの時間と、２番目のＬＰＰ成分から３番目のＬＰＰ成分までの時間とは等しく最も短いが、それ以外はここに並べた順に長い時間となる。しかしながら、同期用のＬＰＰ成分から２番目のＬＰＰ成分までの時間、２番目のＬＰＰ成分から３番目のＬＰＰ成分までの時間、及び同期用のＬＰＰ成分から３番目のＬＰＰ成分までの時間各々に比べて、２番目のＬＰＰ成分から次の周期の同期用のＬＰＰ成分間での時間、３番目のＬＰＰ成分から次の周期の同期用のＬＰＰ成分間での時間及び同期用のＬＰＰ成分から次の周期の同期用のＬＰＰ成分間での時間は十分に長いのである。従って、１つのＬＰＰ成分が検出された時点から所定時間ＴＡ経過した時点でＬＰＰ成分が検出されなかった場合には次に生じるＬＰＰ成分は同期用のＬＰＰ成分である。所定時間ＴＡは例えば、上記のｔ／２より若干長く設定される。
【００３２】
パソコン６２は、オシロスコープ６１に対してトリガ信号を発生する。トリガ信号はオシロスコープ６１の時間軸の基準時点を示す外部同期信号である。
パソコン６２は、トリガ信号を発生するに当たって、図１０に示すように先ず、光ディスク１のエンボス領域のＡＲ測定であるか否かを判別する（ステップＳ１）。光ディスク１のエンボス領域のＡＲ測定である場合には、ゲートパルス指令及びトラックジャンプ指令の発生をスピンドルモータ９の回転に同期して行う（ステップＳ２）。光ディスク１のエンボス領域以外の領域のＡＲ測定である場合には、ゲートパルス指令及びトラックジャンプ指令の発生をしない（ステップＳ３）。
【００３３】
光ディスク１のエンボス領域以外の領域のＡＲ測定の場合には、パソコン６２からのゲートパルス指令及びトラックジャンプ指令に応じてゲートパルス及びトラックジャンプパルスが発生しないので、２値化回路３４から出力されるプリピット検出信号ＰＰDがそのままＡＮＤ回路５０を介してパソコン６２に供給される。一方、光ディスク１のエンボス領域のＡＲ測定の場合には、パソコン６２からのゲートパルス指令に応じてゲートパルス発生回路５１からゲートパルスが発生し、ゲートパルスの発生中に２値化回路３４から出力されるプリピット検出信号ＰＰDはＡＮＤ回路５０で遮断されてパソコン６２には供給されない。また、パソコン６２からのトラックジャンプ指令に応じてトラックジャンプパルス発生回路がトラックジャンプパルスが発生し、トラックジャンプパルスによって光ディスク１のエンボス領域の１トラックが繰り返し再生される。
【００３４】
なお、光ディスクの中には、そのエンボス領域の全てがアンリーダブル部となっている光ディスク（例えば、ＤＶＤ−ＲＷバージョン１．０）の他に、エンボス領域がディスク内側から順にリーダブル部、アンリーダブル部となっている光ディスク（例えば、ＤＶＤ−ＲＷバージョン１．１）がある。かかるＤＶＤ−ＲＷバージョン１．１によれば、エンボス領域（コントロールデータゾーンと呼ばれる）の内側に位置する１７６コントロールデータブロックはリーダブル部となっており、これに続く１６サーボブロックはアンリーダブル部となっている。また、ＤＶＤ−ＲＷバージョン１．１ディスクによれば、そのリーダブル部はコピー防止等に関する情報が読み出し可能な深い位相ピットによって記録されており、大半のディスクにはこのリーダブル部におけるトラック間にＬＰＰが形成されていない。一方、アンリーダブル部は、そのエリアに上書き記録された情報の読み出しを妨げるため、浅い位相ピットによって形成されており、かかるアンリーダブル部におけるトラック間にはデータ領域のトラック間と同様にＬＰＰが形成されている。アンリーダブル部におけるＬＰＰは、アンリーダブル部直後に位置するデータ領域に読み取り光ビームをアクセスするために設けられている。よって、このようなリーダブル部とアンリーダブル部とを有する光ディスクの場合には、アンリーダブル部がエンボス領域のＡＲ測定の対象である。
【００３５】
パソコン６２は、図１１に示すように、ＡＮＤ回路５０の出力信号を監視し、１つのＬＰＰ成分であるプリピット検出信号ＰＰDが生成されたか否かを判別する（ステップＳ１１）。プリピット検出信号ＰＰDが生成されたならば、その時点からの時間計測を開始する（ステップＳ１２）。そして、その計測時間が所定時間ＴＡを越えたか否かを判別する（ステップＳ１３）。計測時間が所定時間ＴＡを越えない場合にステップＳ１１に戻って新たなプリピット検出信号ＰＰDが生成されたか否かを判別する。ステップＳ１１でプリピット検出信号ＰＰDが生成されていないと判別した場合にはステップＳ１３に移行する。
【００３６】
ステップＳ１３において計測時間が所定時間ＴＡを越えたと判別した場合にはプリピット検出信号ＰＰDが生成されたか否かを繰り返し判別する（ステップＳ１４）。ステップＳ１４においてプリピット検出信号ＰＰDが生成されていない場合にゲートパルスの発生中であるか否かを判別する（ステップＳ１５）。
上記したようにゲートパルスはエンボス領域のＡＲ測定時にパソコン６２からのゲートパルス指令に応じてゲートパルス発生回路５１によって発生される。このゲートパルスは図１２(b)に示すようにトラックジャンプパルス（図１２(a)）の発生より若干早く発生される。ゲートパルスの前エッジとトラックジャンプパルスの前エッジとの時間差は１番目のＬＰＰから３番目のＬＰＰまでの時間ｔ／２に相当する。エンボス領域のＡＲ測定時にはエンボス領域内の同一の１トラックを繰り返し再生するので、記録再生ヘッド２による光ディスク１の読取位置（光ビームの照射位置）を１トラック前に移動させるためのトラックジャンプ時にはトラッキングエラー信号は図１２(c)に示すようにＳ字特性を生ずる。トラックジャンプパルスの発生後、トラッキングエラー信号がほぼ基準レベルに戻る時点まで、すなわち１トラック前の位置へのトラックジャンプが完了する時点までゲートパルスがほぼ発生する。
【００３７】
ステップＳ１５でゲートパルスの発生中と判別した場合には、時間計測を初期値にリセットし（ステップＳ１６）、ステップＳ１１に戻る。ステップＳ１５でゲートパルスの発生中ではないと判別した場合には、ステップＳ１４の判別に戻る。
ステップＳ１４においてプリピット検出信号ＰＰDが生成されたと判別した場合には、そのプリピット検出信号ＰＰDは同期用のＬＰＰ成分に対応するので、トリガ信号をオシロスコープ６１に供給する（ステップＳ１７）。
【００３８】
オシロスコープ６１は、トリガ信号に応答してその時点を基準にしてその時点から遅延時間ｔ／２だけ経過した時点を表示中央となるようにプリピット波形を表示する。その表示動作について図８に示したオシロスコープ６１の構成を用いて説明すると、制御回路９２はパソコン９２からインターフェース９９を介してトリガ信号を受けると、Ａ／Ｄ変換器９１によって得られたディジタル信号のサンプルデータをサンプルメモリ９３に順次書き込む。これはトリガ信号から設定時間だけで良く、これを繰り返す。一方、サンプルメモリ９３から表示すべきデータを読み出して表示メモリ９４に書き込んで展開する。この読み出しはトリガ信号の供給時点から遅延時間ｔ／２だけ経過した時点Ｔcのデータが表示パネル９７の中央に表示されるように行われる。すなわち、時点Ｔcに対して時間幅Ｔｃ±ｎΔｔ分のサンプルデータだけがトリガ信号毎に繰り返し読み出されて表示メモリ９４に書き込まれる。表示パネル９７の時間軸の目盛り数を２ｎ（ｎは整数）とし、１目盛り単位の時間をΔｔとする。表示メモリ９４に展開された各サンプルデータがＸ及びＹドライバ９５，９６によって表示パネル９７に表示されるので、表示パネル９７の中央にプリピット波形が表示されることになる。
【００３９】
光ディスク１のエンボス領域に対するＡＲ測定の場合には、図１２に示すようにゲートパルスの発生期間においてはプリピット検出信号ＰＰDがＡＮＤ回路５０から出力されない。よって、ゲートパルスの発生期間においてはトリガ信号が発生されず、また、ゲートパルスの消滅後もプリピット検出信号ＰＰDがＡＮＤ回路５０から最初に出力されてから少なくとも所定時間ＴＡの時間経過がなければ、トリガ信号は発生しない。この結果、トラックジャンプ期間にプッシュプル信号ＰＰが図１２(d)に示すように乱れてしまっても、その期間におけるプリピット部分波形が重畳されてノイズのように表示されることはない。
【００４０】
図１３(a)はエンボス領域に対するＡＲ測定時におけるトラックジャンプ期間のプリピット検出信号ＰＰDを含んでプリピット波形を表示パネル９７に表示した例を示している。図１３(a)の表示波形では、トラックジャンプの際のプッシュプル信号ＰＰのＬＰＰ部分以外の部分でＬＰＰと判断することが起き、同期用のＬＰＰ以外の時間的位置でトリガが掛かってしまい、３番目のＬＰＰ以外のプッシュプル信号ＰＰのレベル変動した成分がノイズとなってプリピット波形に現れている。図１３(b)は上記したようにエンボス領域に対するＡＲ測定時におけるトラックジャンプ期間のプリピット検出信号ＰＰDを無視してプリピット波形を表示パネル９７に表示した例を示している。図１３(b)の表示波形においては、トラックジャンプによるプッシュプル信号ＰＰの変動によって同期用のＬＰＰ以外の時間的位置でトリガとなることが防止されるので、図１３(a)の表示波形に含まれるノイズ成分が除去されている。
【００４１】
このようにトラックジャンプ時のノイズ成分が除去されたプリピット波形をデータとして得ることができるので、このプリピット波形に基づいてエンボス領域に対するＡＲ値をパソコン６２において自動計算すると、図５に示した最大値ＡＰmax及び最小値ＡＰminがノイズ成分の悪影響を受けないで済み、ＡＲ値を正確に算出することができる。
【００４２】
なお、ＬＰＰ間隔検出回路６０は、上記した構成に限らず、本出願人によって出願された特願２００１−３０８８６８号に示された他の構成のＬＰＰ間隔検出回路を本発明においても用いることができる。
また、上記した実施例においてはエンボス領域について説明したが、本発明はエンボス領域に限らず、光記録媒体の他の狭い領域についてプリピット波形を測定する場合に適用することができる。
【００４３】
更に、上記した実施例においては、光記録媒体として光ディスクについて説明したが、複数のトラックが形成された光学式カード等の他の光記録媒体にも本発明を適用することができる。
【００４４】
【発明の効果】
以上の如く、本発明によれば、プリピットを有する光記録媒体のエンボス領域の如き狭い領域におけるプリピット波形をノイズ成分を除去して測定することができる。
【図面の簡単な説明】
【図１】ＤＶＤ−ＲＷの各領域の配置構造を示す図である。
【図２】ＤＶＤ−ＲＷの記録面の構造を示す図である。
【図３】ＬＰＰ成分を含むラジアルプッシュプル信号の波形を示す図である。
【図４】プリピット検出信号の波形を示す図である。
【図５】プリピット波形を示す図である。
【図６】本発明によるプリピット波形測定装置を示すブロック図である。
【図７】図６の装置中のヘッドアンプ、プリピット検出回路及びＬＰＰ間隔検出回路の構成を示すブロック図である。
【図８】図６の装置中のオシロスコープの概略構成を示すブロック図である。
【図９】ＬＰＰ間隔検出回路の各部の動作を示す波形図である。
【図１０】図７の装置中のパソコンによる領域判定動作を示すフローチャートである。
【図１１】図７の装置中のパソコンによるトリガ信号発生動作を示すフローチャートである。
【図１２】図７の装置のトラックジャンプ時の各部の動作を示す波形図である。
【図１３】オシロスコープに表示されるプリピット波形例を示す図である。
【符号の説明】
１  光ディスク
２  記録再生ヘッド
５  プリピット検出回路
１０  スライダ
２０  ４分割光検出器
６０  ＬＰＰ間隔検出回路
６１  オシロスコープ
６２  パソコン
【図１】
0004203244.tif 000002
【図２】
0004203244.tif 000003
【図３】
0004203244.tif 000004
【図４】
0004203244.tif 000005
【図５】
0004203244.tif 000006
【図６】
0004203244.tif 000007
【図７】
0004203244.tif 000008
【図８】
0004203244.tif 000009
【図９】
0004203244.tif 000010
【図１０】
0004203244.tif 000011
【図１１】
0004203244.tif 000012
【図１２】
0004203244.tif 000013
【図１３】
0004203244.tif 000014